(57)【特許請求の範囲】
【請求項１】
透液性トップシートと、不透液性バックシートと、前記透液性トップシートと前記不透液性のバックシートの間に介在する吸収部とからなる本体と、前記本体の左右両側縁から外側に延出している一対のウイングと、前記一対のウイングにそれぞれ形成された固着部を有し、前記本体を前記ショーツの股間部の内面側に配置し、前記一対のウイングをそれぞれ前記ショーツを挟むように折り返して前記固着部によって前記ショーツの股間部の外面に固定する吸収性物品において、
前記ウイングは前端部、外側端部及び後端部からなる３つの縁辺と本体との境界となる内側境界部とでその領域が確定され、前記固着部は前端部、後端部、外側端部及び内側端部からなる４つの縁辺でその領域が確定され、
前記固着部の外側端部の前端は前記ウイングの前端部に位置し、前記固着部の内側端部の前端は前記ウイングの前端部より後方で且つ、前記固着部の外側端部の前端より後方に位置していることを特徴とする吸収性物品。
【請求項２】
請求項１に記載した吸収性物品において、固着部の前後方向の寸法が内側から外側に向かうほど大きくなるように形成されていることを特徴とする吸収性物品。
【請求項３】
請求項１から２のいずれかに記載した吸収性物品において、一つのウイング上に固着部が複数に分かれて形成されていることを特徴とする吸収性物品。
【請求項４】
請求項１から３のいずれかに記載した吸収性物品において、固着部の外側端部からウイングの外側端部までの距離は１０ｍｍ以下であることを特徴とする吸収性物品。
【請求項５】
請求項１から４のいずれかに記載した吸収性物品において、ウイングの前後方向の長さ寸法に対する固着部の前後方向の寸法の割合が５０％以上であることを特徴とする吸収性物品。
【請求項６】
請求項１から５のいずれかに記載した吸収性物品において、ウイングの外側端部から内側境界部までの寸法に対する固着部の外側端部から内側端部までの寸法の割合は３０〜８０％であることを特徴とする吸収性物品。
【発明の詳細な説明】
【０００１】
【発明の属する技術分野】
本発明は生理用ナプキン等の吸収性物品に係り、特にショーツに固着する固着部を備えたウイングを具備する吸収性物品に関するものである。
【０００２】
【従来の技術】
図１９において符号１は生理用ナプキンを示し、この生理用ナプキン１は、本体３の左右両側縁から外側に一対のウイング５が延出している。この一対のウイング５にはそれぞれ長方形の固着部７が形成されている。この生理用ナプキン１のショーツ９への装着は、本体３をショーツ９の股間部１１の内面側に配置して、一対のウイング５をそれぞれショーツ９の股間部１１の側縁１１ａから突出させる。そして、ショーツ９を挟むように側縁１１ａで折り返して、仮想線で示すように固着部７をショーツ９の股間部１１の外面に固定する。この固着部７の前端部７ａは、ウイング５の前端部５ａより後方（Ｂ方向）に位置している。
【０００３】
図２０に他の従来例に係る生理用ナプキン１３を示す。この生理用ナプキン１３は、生理用ナプキン１と固着部１５の形状が異なるだけで、他の構造及びショーツ９への装着方法は生理用ナプキン１と同様である。この固着部１５の前端部１５ａはウイング５の前端部５ａまで延びている。
【０００４】
したように固着部７、１５によってウイング５をショーツ９に固定している。生理用ナプキン１、１３をショーツ９から外す際には、本体３の前端部を掴み斜め上方へ引っ張り矢印方向へ固着部７、１５を剥がすようにする。
【０００５】
【発明が解決しようとする課題】
しかしながら、図１９に示す生理用ナプキン１は、歩いたり、走ったりして足を動かすとウイング５が固着部７の形成されていない前端部５ａから剥がれてしまい、ウイング本来の「ズレ防止」という機能が十分に果たせなくなってしまうおそれがある一方、生理用ナプキン１をショーツ９から取り外すときには、矢印方向に固着部７を比較的スムーズに剥がすことができる。
【０００６】
また、図２０に示す生理用ナプキン１３は、固着部９が左右方向の全てにわたってウイング５の前端部５ａまで延びているので、装着中に固着部７が剥がれるのは効果的に防止できる一方、生理用ナプキン１３をショーツ９から取り外すときには、固着部７が剥がれ難いためウイング５と本体３との間に負荷がかかり、ウイング５が切れてショーツ９に残ってしまうおそれがある。生理用ナプキン１３を交換する際には、手早く済ませたい、手間をかけたくないといった意志が働くので、ショーツ９に貼り付いたまま残っているウイング５を取り除くという余分な作業を行うのは、かなり煩わしいものである。
【０００７】
本発明は上記した問題点に鑑みて為されたものであり、足を動かした場合等においてもウイングがショーツから剥がれるのを確実に防止でき、しかも取り外す際にウイングをスムーズに剥がすことができて、ウイングが切れてショーツに貼り付いたまま残ってしまうおそれのない生理用ナプキン等の吸収性物品を提供することを目的とする。
【０００８】
【課題を解決するための手段】
この目的を達成するために、請求項１の発明は、透液性トップシートと、不透液性バックシートと、前記透液性トップシートと前記不透液性のバックシートの間に介在する吸収部とからなる本体と、前記本体の左右両側縁から外側に延出している一対のウイングと、前記一対のウイングにそれぞれ形成された固着部を有し、前記本体を前記ショーツの股間部の内面側に配置し、前記一対のウイングをそれぞれ前記ショーツを挟むように折り返して前記固着部によって前記ショーツの股間部の外面に固定する吸収性物品において、
前記ウイングは前端部、外側端部及び後端部からなる３つの縁辺と本体との境界となる内側境界部とでその領域が確定され、前記固着部は前端部、後端部、外側端部及び内側端部からなる４つの縁辺でその領域が確定され、
前記固着部の外側端部の前端は前記ウイングの前端部に位置し、前記固着部の内側端部の前端は前記ウイングの前端部より後方で且つ、前記固着部の外側端部の前端より後方に位置していることを特徴とする吸収性物品である。
【０００９】
この発明では、固着部の外側端部の前端部はウイングの前端部に位置するので、吸収性物品の装着時には、足を動かした場合においても固着部がショーツから剥がれるのを防止できる。また、固着部の内側端部の前端部はウイングの前端部より後方で且つ、前記外側端部の前端部より後方に位置するので、即ち、最も負荷がかかるウイングの付け根部分には固着部が形成されていないので、吸収性物品を取り外す際にはウイングと本体との間の負荷が小さくなり、ウイングが切れてショーツに残ってしまうのを防止することができる。
【００１０】
請求項２の発明は、請求項１に記載した吸収性物品において、固着部の前後方向の寸法が内側から外側に向かうほど大きくなるように形成されていることを特徴とする吸収性物品である。この発明では、固着部の前後方向の寸法が内側から外側に向かうほど大きくなるように形成されているので、足を動かした場合等において最もズレやすい外側の固着力が増大されており、装着中のズレをより効果的に防止することができる。
【００１１】
請求項３の発明は、請求項１から２のいずれかに記載した吸収性物品において、一つのウイング上に固着部が複数に分かれて形成されていることを特徴とする吸収性物品である。この発明では、粘着剤等固着部を構成するための材料の使用量を少なく抑えることができる。
【００１２】
請求項４の発明は、請求項１から３のいずれかに記載した吸収性物品において、固着部の外側端部からウイングの外側端部までの距離は１０ｍｍ以下であることを特徴とする吸収性物品である。この発明では、固着部の剥がれ防止の効果を十分確保することができる。
【００１３】
請求項５の発明は、請求項１から４のいずれかに記載した吸収性物品において、ウイングの前後方向の長さ寸法に対する固着部の前後方向の寸法の割合が５０％以上であることを特徴とする吸収性物品である。この発明では、固着部の剥がれ防止の効果を十分確保することができる。
【００１４】
請求項６の発明は、請求項１から５のいずれかに記載した吸収性物品において、ウイングの外側端部から内側境界部までの寸法に対する固着部の外側端部から内側端部までの寸法の割合は３０〜８０％であることを特徴とする吸収性物品である。この発明では、固着部の剥がれ防止の効果と、固着部をショーツからスムーズに剥がすことができる効果の両方を適当なバランスをもって両立することが可能となる。
【００１５】
【発明の実施の形態】
以下に、本発明に係る吸収性物品の詳細を図面に示した実施の形態に従って説明する。図１から図５に示した第１の実施の形態は、本発明を生理用ナプキン３１に適用したものである。
【００１６】
生理用ナプキン３１は、不透液性のバックシート３３と、このバックシート３３に重ねられた透液性のトップシート３５と、その間に介在する（図示しない）吸収体及び（図示しない）吸収シートとから成る多層構造をしており、前後方向（Ｆ−Ｂ方向）に長い概ね瓢箪形をしている本体３６と、本体３６の左右両側縁から外側（Ｌ−Ｒ方向）に延出している一対のウイング３３ａ、３３ｂとに分かれている。ウイング３３ａとウイング３３ｂは左右対称形状である。
【００１７】
バックシート３３は、ポリエチレンシートやポリエチレンラミネート不織布等により形成され、望ましくは、不透液性且つ透湿性のもの、例えばポリエチレンやポリプロピレン等のオレフィン系樹脂に無機充填剤を溶融混練したものを延伸処理した微多孔性シートにより形成される。トップシート３５は、不織布や多数の孔を形成したプラスチック製のメッシュシートなどで形成されている。
【００１８】
吸収体は綿状パルプや合成パルプ等を比較的軽い坪量で積層した積繊パルプ製のもので、全面ほぼ均一な厚さのシート状に形成されている。吸収体の平面形状は、基本的に前後方向（Ｆ−Ｂ方向）へ延びる長方形状をしている。吸収体の前後両端縁は、バックシート３３の前後両端縁とほぼ相似形の円弧を形成するように互いに反対方向へ膨らんでいる。この吸収体の大きさは、前後方向（Ｆ−Ｂ方向）での長さがバックシート３３の同方向における長さより多少短く、左右方向（Ｌ−Ｒ方向）の幅はバックシート３３の一番幅の狭い部分の左右方向（Ｌ−Ｒ方向）の幅より多少狭い大きさになっている。この幅は、成人女性の股間隔に対応して概ね５０〜８０ｍｍ程度にしてある。
【００１９】
吸収シートは吸収体の形状を保持したり、表面から吸収した体液を吸収体に速やかに移行させるためのもので、例えばクレープ紙や不織布などが用いられる。バックシート３３の一方の面に吸収体が保持され、吸収体を覆うようにバックシート３３に吸収シートが重ねられる。メイントップシート３５ａは吸収シートに重ねて接着され、サイドトップシート３５ｂはその直線状の側部がメイントップシート３５ａに重なった状態でバックシート３３に接着される。これらの接着はホットメルトなどの接着剤やヒートシールなどによって行われる。
【００２０】
メイントップシート３５ａ、吸収シート及び吸収体にはエンボス加工が施されて、盛り上がり部３７が形成されている。盛り上がり部３７の左右両側にはサイドトップシート３５ｂが配置され、このサイドトップシート３５ｂにはゴム糸が接着されて伸縮ギャザー３９が形成されている。この伸縮ギャザー３９によって経血等が生理用ナプキン３１外へ漏れるのを防止する。前記ウイング３３ａ、３３ｂの裏面には固着部としての粘着部４０ａ、４０ｂがそれぞれ形成され、この粘着部４０ａ、４０ｂは左右対称形状である。粘着部４０ａ、４０ｂは粘着テープによって構成されている。粘着部４０ａ、４０ｂは、綿布に貼り付けて２ｋｇの重さのローラーで１往復させた後、１８０°の角度まで剥離させたとき１ｋｇｆ以上の粘着強度をもつものが好ましい。特に２５ｇ／ｍ2から５０ｇ／ｍ2の粘着強度の範囲が好ましい。なお、この粘着強度は、第２実施例以下についても同様に適用する。
【００２１】
この生理用ナプキン３１は、包装用シート４２に背折り状態で包装されている。この包装用シート４０ｂの粘着部４０ａ、４０ｂに当接する部位には剥離紙４４が接合されている。
【００２２】
ウイング３３ａ及び固着部４０ａとウイング３３ｂ及び固着部４０ｂは左右対称形状なので、以下の説明はウイング３３ａ及び固着部４０ａのみを説明する。図２に示すように、ウイング３３ａは、前端部４３、外側端部４５及び後端部４７からなる３つの縁辺と本体３６との境界となる内側境界部４９とでその領域が確定されている。粘着部４０ａは四角形であり、前端部５１、後端部５３、外側端部５５および内側端部５７からなる４つの縁辺でその領域が画定されている。
【００２３】
粘着部４０ａの外側前端部５０は、ウイング３３ａの前端部４３にまで達しており、内側前端部５２はウイング３３ａの前端部４３より後方で且つ、粘着部４０ａの外側前端部５０より後方に位置している。粘着部４０ａの外側前端部５０と内側前端部５２とのＦ−Ｂ方向における距離は３ｍｍから８ｍｍ程度であることが望ましい。なお、この距離は、第２実施例以下についても同様に適用する。粘着部４０ａの前端部５１の左右方向（Ｌ−Ｒ方向）に対する傾斜角度θは３０°に設定されている。粘着部４０ａの後端部５３は、左右方向（Ｌ−Ｒ方向）へ真っ直ぐに延びている。従って、粘着部４０ａの外側端部５５の前後方向（Ｆ−Ｂ方向）の寸法（Ｌ）は、内側端部５７の寸法（ｌ）より大きくなっている。また粘着部４０ａの寸法（Ｌ）はウイング３３ａの長さ寸法（Ｌ２）の５０％以上の比率を有しており、７０％以上の比率を有していることが好ましい。なお、この比率は、第２実施例以下についても同様に適用する。粘着部４０ａの外側端部５５からウイング３３ａの外側端部４５までの最大距離Ｋは１０ｍｍとなっている。この粘着部４０ａの外側端部５５からウイング３３ａの外側端部４５までの距離は１０ｍｍ以下範囲で設定する。また粘着部４０ａの左右方向（Ｌ−Ｒ方向）の幅寸法ｈのウイング３３ａの左右方向（Ｌ−Ｒ方向）の幅寸法Ｈに対する比率（ｈ／Ｈ（％））は６０％になるように設定されている。この比率は３０％から８０％の範囲で設定し、５０％から７０％程度の範囲で設定するのは好ましい。なお、この比率は、第２実施例以下についても同様に適用する。
【００２４】
生理用ナプキン３１の装着は、図３に示すように、ショーツ９の股間部１１ａの内面の所定位置に本体３６を配置する。そして、ウイング３３ａ、３３ｂをそれぞれショーツ９を挟むように折り返し、粘着部４０ａ、４０ｂをショーツ９の外面に貼り付けて固定する。図４は、生理用ナプキン３１のショーツ９に装着した状態を示し、粘着部４０ａによりウイング３３ａがショーツ９に固着されている。
【００２５】
生理用ナプキン３１をショーツ９から取り外すときには本体３６の前端部を掴み斜め上方へ引っ張る。すると図５に示すように矢印方向にウイング３３ａが剥がれていく。点線は剥がれている途中でショーツ９に依然として固着している部分の粘着部４０ａを示す。この生理用ナプキン３１では、取り外す際にウイング３３ａ、３３ｂと本体３６との間に負荷が小さくなり、本体３６と一緒にウイング３３ａ、３３ｂをショーツ９からスムーズに剥がすことができると共に、装着時のズレを効果的に防止できる。更に、生理用ナプキン３１は包装用シート４２に背折り形態で包装されているが、生理用ナプキン３１をショーツ９からスムーズに取り外すことができるのと同様の原理で、生理用ナプキン３１をスムーズに剥離紙４４から剥がすことが可能である。
【００２６】
図６に、第２の実施の形態に係る生理用ナプキン５９を示す。この生理用ナプキン５９は生理用ナプキン３１と粘着部６１の形状が異なるだけで、他の構造及びショーツ９への装着方法は生理用ナプキン３１と同様である。従って、第１の実施の形態で用いた符号を引用し、同一構造の部分についての説明を省略する。このことは第３の実施の形態についても同様とする。粘着部６１は複数の小さい四角形に分かれて形成されている。そして、外側端部５５は最も外側に位置する四角形の外側端部が対応し、内側端部５７は最も内側に位置する四角形の内側端部が対応する。図７はショーツ９へ本体３６を配置した状態を示し、図８はウイング３３ａをショーツ９に固着した状態を示す。
【００２７】
生理用ナプキン５９をショーツ９から取り外すときには本体３６の前端部を掴み斜め上方へ引っ張る。すると図９に示すように矢印方向にウイング３３ａが剥がれていく。点線は剥がれている途中でショーツ９と依然として固着している部分の粘着部６１を示す。この生理用ナプキン５９も、生理用ナプキン３１と同様、取り外す際にウイング３３ａ、３３ｂと本体３６との間の負荷が小さくなり、本体３６と共にウイング３３ａ、３３ｂをショーツ９からスムーズに剥がすことができる。しかも、装着時のズレが効果的に防止できる。更に、この生理用ナプキン５９は、粘着部６１を形成するのに使用する粘着剤の量を少なくすることができ、製造コストを引き下げることが可能となる。
【００２８】
図１０から図１２に粘着部６１をウイング３３ａ、３３ｂ上に形成する方法を示す。図１０に示すように粘着剤を帯状の剥離紙６５の左右両端部分に塗布して、各々独立した３つの粘着部６１を一組として左右一対ずつ一定間隔おきに連続して多数形成する。そして、剥離紙６５を一点鎖線で示す部分で切断して図１１に示すように切り離す。この切り離された剥離紙６５を図１２に示すようにバックシート３３に貼り付けて、粘着部６１をウイング３３ａ、３３ｂに転写し目的とするパターンの粘着部６１を形成する。この粘着部６１の形成方法は、粘着部の形状そのものを工夫することによって目的とするパターンの粘着部６１を得るものである。
【００２９】
図１３から図１５に第３の実施の形態に係る生理用ナプキン６２の粘着部６７をウイング３３ａ、３３ｂ上に形成する方法を示す。図１３に示すように粘着剤を帯状の剥離紙６５の左右両端部分に塗布して、左右一対の連続する粘着部６７を形成する。そして、剥離紙６５を一点鎖線で示す部分で切断して図１４に示すように切り離す。剥離紙６５の切断部は円弧状となっている。この切り離された剥離紙６５を図１５に示すようにバックシート３３に貼り付けて、粘着部６７をウイング３３ａ、３３ｂに転写し目的とするパターンの粘着部６７を形成する。
【００３０】
前記のように剥離紙６５の切断部は円弧状となっているので、粘着部６７の内側前端部７１は外側前端部６９より後方へ位置することになる。この切り離された剥離紙６５を図１５に示すようにバックシート３３に貼り付けて、粘着部６１をウイング３３ａ、３３ｂに転写し目的とするパターンの粘着部６７を形成する。この際、粘着部６７の外側前端部６９がウイング３３ａ、３３ｂの前端部４３に位置するようにする。これにより外側前端部６９がウイング３３ａ、３３ｂの前端部４３に位置し、内側前端部７１が外側前端部６９より後方に位置する粘着部６７をウイング３３ａ、３３ｂに形成することができる。この粘着部６７の形成方法は、剥離紙６５の切断形状を工夫することによって目的とするパターンの粘着部６７を得るものである。
【００３１】
図１６から図１８に第４の実施の形態に係る生理用ナプキン７３の粘着部をウイング３３ａ、３３ｂ上に形成する方法を示す。図１６に示すように粘着剤を帯状の剥離紙６５の左右両端部分に塗布して、左右一対の連続する粘着部７５を形成する。そして、剥離紙６５を一点鎖線で示す部分で切断して図１７に示すように切り離す。剥離紙６５の切断部は両端部が外側へ向かって上り勾配となるように傾斜している。この切り離された剥離紙６５を図１８に示すようにバックシート３３に貼り付けて、粘着部７５をウイング３３ａ、３３ｂに転写し目的とするパターンの粘着部７５を形成する。
【００３２】
前記のように剥離紙６５の両端部が外側へ向かって上り勾配となるように傾斜しているので、粘着部７５の内側前端部７９は外側前端部７７の後方へ位置することになる。この切り離された剥離紙６５を図１８に示すようにバックシート３３に貼り付けて、粘着部７５をウイング３３ａ、３３ｂに転写し目的とするパターンの粘着部７５を形成する。この際、粘着部７５の外側前端部７７がウイング３３ａ、３３ｂの前端部４３に位置するようにする。これにより外側前端部７７がウイング３３ａ、３３ｂの前端部４３に位置し、内側前端部７９が外側前端部７７より後方に位置する粘着部７５をウイング３３ａ、３３ｂに形成することができる。この粘着部７５の形成方法は、剥離紙６５の切断形状を工夫することによって目的とするパターンの粘着部７５を得るものである。
【００３３】
以上、本発明の実施の形態を説明したが、本発明の具体的構成がこの実施の形態に限定されるものでは無く、本発明の要旨から外れない範囲での設計変更等があっても本発明に含まれる。例えば、傾斜角度θは０°〜６０°の範囲が好ましく、１５〜３０°の範囲がより好ましい。また、包装シートへの包装形態は背折りでも腹折りでもよい。また、固着部４０ａ、４０ｂは粘着テープの他、ホットメルトやベルクロを用いてもよい。
【００３４】
また、本発明の実施例での生理用ナプキンは一例であり、トップシートやバックシート、吸収体、伸縮材等各部の形状やそれらの材料などが実施の形態に示したものに限られることは無い。そして、本発明は、生理用ナプキンに限らず、紙おむつ等の各種の吸収性物品に広く適用することができることは言うまでもない。
【００３５】
【発明の効果】
以上のように、本発明の吸収性物品によれば、その装着時には、足を動かした場合においても固着部がショーツから剥がれるのを防止でき、取り外す際にはウイングと本体との間の負荷が小さくなっているので、ウイングが切れてショーツに残ってしまうのを防止することができる。
【図面の簡単な説明】
【図１】  本発明の実施の形態に係る第１の実施の形態に係る生理用ナプキンの正面図である。
【図２】  第１の実施の形態に係る生理用ナプキンの部分拡大図である。
【図３】  第１の実施の形態に係る生理用ナプキンをショーツの上に配置した状態を示す図である。
【図４】  第１の実施の形態に係る生理用ナプキンのウイングをショーツに固着させた状態を示す図である。
【図５】  第１の実施の形態に係る生理用ナプキンのウイングがショーツから剥がれていく状態を示す図である。
【図６】  第２の実施の形態に係る生理用ナプキンの部分拡大図である。
【図７】  第２の実施の形態に係る生理用ナプキンをショーツの上に配置した状態を示す図である。
【図８】  第２の実施の形態に係る生理用ナプキンのウイングをショーツに固着させた状態を示す図である。
【図９】  第２の実施の形態に係る生理用ナプキンのウイングがショーツから剥がれていく状態を示す図である。
【図１０】  第２の実施の形態に係る生理用ナプキンに粘着部を形成する方法を説明するための図である。
【図１１】  第２の実施の形態に係る生理用ナプキンに粘着部を形成する方法を説明するための図である。
【図１２】  第２の実施の形態に係る生理用ナプキンに粘着部を形成する方法を説明するための図である。
【図１３】  第３の実施の形態に係る生理用ナプキンに粘着部を形成する方法を説明するための図である。
【図１４】  第３の実施の形態に係る生理用ナプキンに粘着部を形成する方法を説明するための図である。
【図１５】  第３の実施の形態に係る生理用ナプキンに粘着部を形成する方法を説明するための図である。
【図１６】  第４の実施の形態に係る生理用ナプキンに粘着部を形成する方法を説明するための図である。
【図１７】  第４の実施の形態に係る生理用ナプキンに粘着部を形成する方法を説明するための図である。
【図１８】  第４の実施の形態に係る生理用ナプキンに粘着部を形成する方法を説明するための図である。
【図１９】  従来の生理用ナプキンを説明する図である。
【図２０】  従来の別の生理用ナプキンを説明する図である。
【符号の説明】
１…生理用ナプキン、３…本体、５…ウイング、５ａ…前端部、７…固着部、７ａ…前端部、９…ショーツ、１１…股間部、１１ａ…側縁、１３…生理用ナプキン、１５…固着部、３１…生理用ナプキン、３３…バックシート、３３ａ・３３ｂ…ウイング、３５…トップシート、３５ａ…メイントップシート、３５ｂ…サイドトップシート、３６…本体、４０ａ・４０ｂ…粘着部、４３…前端部、４５…外側端部、４７…後端部４７、４９…内側境界部、５１…前端部、５０…外側前端部、５２…内側前端部、５３…後端部、５５…外側端部、５７…内側端部、５９…生理用ナプキン、６１…粘着部、６２…生理用ナプキン、６７…粘着部、６９…外側前端部、７１…内側前端部、７３…生理用ナプキン、７５…粘着部、７７…外側前端部、７９…内側前端部
【図１】
0004094279.tif 000002
【図２】
0004094279.tif 000003
【図３】
0004094279.tif 000004
【図４】
0004094279.tif 000005
【図５】
0004094279.tif 000006
【図６】
0004094279.tif 000007
【図７】
0004094279.tif 000008
【図８】
0004094279.tif 000009
【図９】
0004094279.tif 000010
【図１０】
0004094279.tif 000011
【図１１】
0004094279.tif 000012
【図１２】
0004094279.tif 000013
【図１３】
0004094279.tif 000014
【図１４】
0004094279.tif 000015
【図１５】
0004094279.tif 000016
【図１６】
0004094279.tif 000017
【図１７】
0004094279.tif 000018
【図１８】
0004094279.tif 000019
【図１９】
0004094279.tif 000020
【図２０】
0004094279.tif 000021